(57)【要約】【課題】種類の異なるヒューズのいずれをも簡易な構成で収容することができるヒューズボックスを提供する。【解決手段】実施形態の一態様に係るヒューズボックスにあっては、本体部と、一対の端子収容部と、第２ヒューズ収容部とを備える。本体部は、中空状に形成される。一対の端子収容部は、本体部内に形成されるとともに、第１ヒューズと接続可能な一対の端子をそれぞれ収容する。第２ヒューズ収容部は、一対の端子収容部の間に形成されるとともに、第１ヒューズとは異なる種類の第２ヒューズを一対の端子に接続された姿勢で収容する。【選択図】図１
2018063928.tif 000002
【特許請求の範囲】
【請求項１】
中空状に形成される本体部と、
前記本体部内に形成されるとともに、第１ヒューズと接続可能な一対の端子をそれぞれ収容する一対の端子収容部と、
前記一対の端子収容部の間に形成されるとともに、前記第１ヒューズとは異なる種類の第２ヒューズを前記一対の端子に接続された姿勢で収容する第２ヒューズ収容部と
を備えることを特徴とするヒューズボックス。
【請求項２】
前記本体部内に形成されるとともに、前記第１ヒューズが前記一対の端子に接続される場合に前記第１ヒューズの第１ヒューズ側端子を接続方向に沿ってガイドし、前記第２ヒューズが前記一対の端子に接続される場合に前記第２ヒューズの第２ヒューズ側端子を接続方向に沿ってガイドする共通ガイド部
を備えることを特徴とする請求項１に記載のヒューズボックス。
【請求項３】
前記本体部に形成されるとともに、前記第１ヒューズが前記一対の端子に接続される場合に前記第１ヒューズと当接することで前記第１ヒューズの接続方向への移動を規制する第１ヒューズ移動規制部と、
前記第２ヒューズ収容部に形成されるとともに、前記第２ヒューズが前記一対の端子に接続される場合に前記第２ヒューズと当接することで前記第２ヒューズの接続方向への移動を規制する第２ヒューズ移動規制部と
を備えることを特徴とする請求項１または２に記載のヒューズボックス。
【請求項４】
前記第１ヒューズ移動規制部は、
前記第２ヒューズが前記一対の端子に接続される場合に前記第２ヒューズを接続方向に沿ってガイドする第２ヒューズガイド部
を備えることを特徴とする請求項３に記載のヒューズボックス。
【請求項５】
前記第２ヒューズガイド部は、
前記第２ヒューズの接続方向に対して傾斜する傾斜面であること
を特徴とする請求項４に記載のヒューズボックス。
【請求項６】
前記本体部に形成されるとともに、前記第１ヒューズが前記一対の端子に接続される場合に前記一対の端子を結ぶ方向への移動を規制し、前記第２ヒューズが前記一対の端子に接続される場合に前記一対の端子を結ぶ方向への移動を規制する共通移動規制部
を備えることを特徴とする請求項１〜５のいずれか一つに記載のヒューズボックス。
【発明の詳細な説明】
【技術分野】
【０００１】
本発明は、ヒューズボックスに関する。
【背景技術】
【０００２】
従来、自動車や電機製品等に搭載される電気回路には、電気回路に接続されている電装部品などに過電流が流れることを防止するため、ヒューズが接続されている。かかるヒューズにあっては、近年、種々の形状のヒューズが提案されている。例えばブレード型のヒューズの場合、平型ヒューズ、平型ヒューズより小型のミニヒューズ、ミニヒューズより高さ方向の長さが短い低背ヒューズなど、形状の異なる多種類のヒューズが提案されている。
【０００３】
ところで、上記したヒューズは、ヒューズボックスに収容されて、例えば自動車等の適宜位置に配設される。また、従来のヒューズボックスにおいては、収容されるヒューズの形状に合わせてヒューズの種類ごとに設計がなされていた。
【０００４】
そのため、従来のヒューズボックスにあっては、対応するヒューズとは形状の異なる、別の種類のヒューズを収容することができなかった。すなわち、従来のヒューズボックスに別の種類のヒューズを収容しようとすると、対応するヒューズとの形状の違いから、別の種類のヒューズの一部がヒューズボックスの収容部分と干渉してしまい、収容できなかった。そこで、別の種類のヒューズにアダプタを取り付けて、ヒューズボックスに収容するようにした技術が知られている（例えば特許文献１参照）。
【先行技術文献】
【特許文献】
【０００５】
【特許文献１】特開平６−１３９９１６号公報
【発明の概要】
【発明が解決しようとする課題】
【０００６】
しかしながら、上記した従来技術のように、ヒューズボックスとは別体のアダプタを用いる構成とすると、アダプタの分だけ部品点数が増加し、ヒューズボックスの構成が複雑化する。このように、従来技術に係るヒューズボックスには、種類の異なるヒューズのいずれをも簡易な構成で収容するという点で改善の余地があった。
【０００７】
本発明は、上記に鑑みてなされたものであって、種類の異なるヒューズのいずれをも簡易な構成で収容することができるヒューズボックスを提供することを目的とする。
【課題を解決するための手段】
【０００８】
上記課題を解決し、目的を達成するために、本発明は、ヒューズボックスにおいて、本体部と、一対の端子収容部と、第２ヒューズ収容部とを備える。本体部は、中空状に形成される。一対の端子収容部は、前記本体部内に形成されるとともに、第１ヒューズと接続可能な一対の端子をそれぞれ収容する。第２ヒューズ収容部は、前記一対の端子収容部の間に形成されるとともに、前記第１ヒューズとは異なる種類の第２ヒューズを前記一対の端子に接続された姿勢で収容する。
【発明の効果】
【０００９】
本発明によれば、種類の異なるヒューズのいずれをも簡易な構成で収容することができる。
【図面の簡単な説明】
【００１０】
【図１】図１は、実施形態に係るヒューズボックスの構成例を示す斜視図である。
【図２Ａ】図２Ａは、ヒューズボックスの平面図である。
【図２Ｂ】図２Ｂは、ヒューズボックスの平面図である。
【図３】図３は、図２ＡのIII−III線断面図である。
【図４】図４は、第１ヒューズ移動規制部付近を拡大して示す斜視図である。
【図５】図５は、ヒューズボックスの斜視図である。
【図６Ａ】図６Ａは、第１ヒューズの正面図である。
【図６Ｂ】図６Ｂは、第１ヒューズの底面図である。
【図７Ａ】図７Ａは、第２ヒューズの正面図である。
【図７Ｂ】図７Ｂは、第２ヒューズの底面図である。
【図８】図８は、図２ＢのVIII−VIII線断面図である。
【図９】図９は、図２ＢのIX−IX線端面図である。
【図１０】図１０は、ヒューズボックスの断面図である。
【図１１Ａ】図１１Ａは、図２ＢのIX−IX線端面図である。
【図１１Ｂ】図１１Ｂは、図２ＢのIX−IX線端面図である。
【図１２】図１２は、ヒューズボックスの断面図である。
【図１３】図１３は、ヒューズボックスの斜視図である。
【図１４】図１４は、変形例に係るヒューズボックスの側面図である。
【図１５】図１５は、ケーブルクランプに保持された第２ケーブルの動きを説明する図である。
【図１６】図１６は、ケーブルクランプに保持された第２ケーブルの動きを説明する図である。
【発明を実施するための形態】
【００１１】
以下、添付図面を参照して、本願の開示するヒューズボックスの実施形態を詳細に説明する。なお、以下に示す実施形態によりこの発明が限定されるものではない。
【００１２】
図１は、実施形態に係るヒューズボックスの構成例を示す斜視図である。なお、図１においては、説明の便宜のために、互いに直交するＸ軸方向、Ｙ軸方向およびＺ軸方向で規定される３次元の直交座標系を図示している。かかる直交座標系は、後述の説明に用いる他の図面でも示す場合がある。また、図１および後述する図２Ａ以降の図は、いずれも模式図である。
【００１３】
図１に示すように、本実施形態に係るヒューズボックス１は、ヒューズ６０，７０のいずれをも収容することのできる略直方体状の筐体である。なお、図１に示すヒューズボックス１の形状は例示であって限定されるものではなく、例えば円筒状などその他の形状であってもよい。
【００１４】
かかるヒューズボックス１は、例えば図示しない自動車などの車両の適宜位置に配設される。なお、上記では、ヒューズボックス１を車両用としたが、これに限られず、例えば電機製品などその他の種類の製品等に配設されてもよい。
【００１５】
ヒューズボックス１は、例えば樹脂製とされ、本体部１０と、蓋部４０とを備える。本体部１０は、中空状に形成され、Ｚ軸正方向側の端部および負方向側の端部の両端で開口される（図１においてＺ軸負方向側の開口は見えず）。
【００１６】
蓋部４０は、本体部１０のＺ軸正方向側の端部付近にヒンジ部４１を介して接続される。従って、蓋部４０は、ヒンジ部４１を曲げることで、本体部１０のＺ軸正方向側の開口（以下「上端開口」と記載する場合がある）を開放または閉止することができる。なお、図１では、蓋部４０が本体部１０の上端開口を開放している状態を示している。
【００１７】
上記した本体部１０には、ヒューズ６０，７０のいずれか一方が収容される。以下では、ヒューズ６０を「第１ヒューズ６０」、ヒューズ７０を「第２ヒューズ７０」と記載する場合がある。
【００１８】
第１、第２ヒューズ６０，７０はともに、例えばブレード型のヒューズであるが、ブレード型のヒューズの中でもヒューズの種類は互いに異なっている。具体的には、複数種類あるブレード型のヒューズのうち、第１ヒューズ６０は、例えば一般的な平型ヒューズより小型の所謂「ミニヒューズ」であり、第２ヒューズ７０は第１ヒューズ６０より高さ方向（図１ではＺ軸方向）の長さが小さい所謂「低背ヒューズ」である。なお、上記した第１、第２ヒューズ６０，７０の種類は例示であって限定されるものではない。
【００１９】
上記した第１ヒューズ６０は、第１ヒューズ本体部６１と、第１ヒューズ側端子６２ａ，６２ｂとを備える。第１ヒューズ本体部６１は、例えば略直方体状に形成されるとともに、樹脂製とされる。第１ヒューズ側端子６２ａ，６２ｂは、平板状に形成され、第１ヒューズ本体部６１のＺ軸負方向側の底面から延設される。なお、第１ヒューズ６０の構成については図６Ａ，６Ｂを用いて後述する。
【００２０】
第２ヒューズ７０は、第２ヒューズ本体部７１と、第２ヒューズ側端子７２ａ，７２ｂとを備える。第２ヒューズ本体部７１は、例えば略直方体状に形成されるとともに、樹脂製とされる。第２ヒューズ側端子７２ａ，７２ｂは、平板状に形成され、第２ヒューズ本体部７１のＸ軸方向の左右の側面に設けられる。なお、第２ヒューズ７０の構成については図７Ａ，７Ｂを用いて後述する。
【００２１】
このように、第１ヒューズ６０と第２ヒューズ７０とは、ヒューズの種類が異なっており、形状も互いに異なっている。
【００２２】
本実施形態に係るヒューズボックス１にあっては、上記のように、種類の異なる第１ヒューズ６０および第２ヒューズ７０のいずれをも収容可能に構成されるようにした。詳しく説明すると、ヒューズボックス１の本体部１０は、一対の端子収容部１１と、第２ヒューズ収容部１２とを備える。
【００２３】
一対の端子収容部１１は、本体部１０内に形成される。具体的には、一対の端子収容部１１は、本体部１０内においてＸ軸方向の左右の側面付近に形成され、その内部に空間を有する。そして、一対の端子収容部１１には、第１ヒューズ６０および第２ヒューズ７０と接続可能な一対のヒューズ接続用端子５０がそれぞれ収容される。なお、このとき、ヒューズ接続用端子５０は、先端部分が本体部１０の上端開口付近に位置されて収容されるが、収容位置はこれに限られない。
【００２４】
一対のヒューズ接続用端子５０は、例えばメス端子であり、第１ヒューズ側端子６２ａ，６２ｂまたは第２ヒューズ側端子７２ａ，７２ｂがそれぞれ挿入されて接触するときに電気的に接続される。なお、ヒューズ接続用端子５０は、端子の一例である。また、以下では、一対のヒューズ接続用端子５０のうちの一方を「第１ヒューズ接続用端子５０ａ」、他方を「第２ヒューズ接続用端子５０ｂ」と記載する場合がある。
【００２５】
第１ヒューズ接続用端子５０ａには第１ケーブル５１ａが接続され、第２ヒューズ接続用端子５０ｂには第２ケーブル５１ｂが接続される。そして、第１、第２ケーブル５１ａ，５１ｂは、本体部１０のＺ軸負方向側の開口（以下「下端開口」と記載する場合がある）から取り出され、図示しない車両に搭載された電装部品に電気回路を介して接続される。
【００２６】
なお、以下では、一対の端子収容部１１のうち、第１ヒューズ接続用端子５０ａが収容される方を「第１端子収容部１１ａ」、第２ヒューズ接続用端子５０ｂが収容される方を「第２端子収容部１１ｂ」と記載する場合がある。
【００２７】
第２ヒューズ収容部１２は、一対の端子収容部１１の間に形成される。具体的には、第２ヒューズ収容部１２は、Ｘ−Ｙ平面視において第１端子収容部１１ａと第２端子収容部１１ｂとの間に形成される（後述の図２Ａ参照）。第２ヒューズ収容部１２は、本体部１０の内部に形成された凹部であり、かかる凹部によって区画される本体部１０の内部空間は、例えば第２ヒューズ本体部７１の一部または全部が入る大きさとされる。
【００２８】
これにより、第２ヒューズ収容部１２は、第２ヒューズ７０を一対のヒューズ接続用端子５０に接続された姿勢（状態）で収容することとなる。言い換えると、第２ヒューズ収容部１２は、第２ヒューズ７０が一対のヒューズ接続用端子５０に接続される場合に第２ヒューズ７０（正確には、第２ヒューズ７０の第２ヒューズ本体部７１）を収容することが可能となる。
【００２９】
上記のように構成されたヒューズボックス１において、例えば第１ヒューズ６０が収容される場合、第１ヒューズ６０は先ず、矢印Ａ１で示すように、第１ヒューズ側端子６２ａ，６２ｂがヒューズ接続用端子５０に挿入されつつＺ軸負方向へ移動させられる。
【００３０】
そして、第１ヒューズ６０は、ヒューズ接続用端子５０と接触して電気的に接続される状態まで移動させられ、かかる状態でヒューズボックス１に収容される。なお、第１ヒューズ６０は、第１ヒューズ移動規制部１４と当接することで、Ｚ軸負方向への移動が規制されるが、これについては後述する。
【００３１】
他方、第２ヒューズ７０がヒューズボックス１に収容される場合、第２ヒューズ７０は先ず、矢印Ａ２で示すように、第２ヒューズ側端子７２ａ，７２ｂがヒューズ接続用端子５０に挿入されつつＺ軸負方向へ移動させられる。
【００３２】
そして、第２ヒューズ７０は、第２ヒューズ本体部７１が第２ヒューズ収容部１２に収容されつつ、ヒューズ接続用端子５０と接触して電気的に接続される状態まで移動させられ、かかる状態でヒューズボックス１に収容される。なお、第２ヒューズ７０は、第２ヒューズ移動規制部１５と当接することで、Ｚ軸負方向への移動が規制されるが、これについては後述する。
【００３３】
このように、本実施形態に係るヒューズボックス１は、第１ヒューズ６０とは異なる種類の第２ヒューズ７０をヒューズ接続用端子５０に接続された姿勢で収容する第２ヒューズ収容部１２を備えるようにした。これにより、ヒューズボックス１にあっては、種類の異なる第１ヒューズ６０および第２ヒューズ７０のいずれをも簡易な構成で収容することができる。
【００３４】
以下、図２Ａ以降を参照してヒューズボックス１についてさらに詳しく説明する。図２Ａ，２Ｂはヒューズボックス１の平面図であり、図３は、図２ＡのIII−III線断面図である。なお、図２Ａは、ヒューズボックス１からヒューズ接続用端子５０を取り外した状態を示し、図２Ｂは、ヒューズボックス１にヒューズ接続用端子５０を取り付けた状態を示している。
【００３５】
図２Ａに示すように、ヒューズボックス１は、上記した第１、第２端子収容部１１ａ，１１ｂおよび第２ヒューズ収容部１２に加え、第１ヒューズ移動規制部１４と、第２ヒューズ移動規制部１５と、共通移動規制部１６と、共通ガイド部１８とをさらに備える。
【００３６】
第１ヒューズ移動規制部１４は、本体部１０の上端開口付近に複数個（例えば４個）設けられる。図４は、図２Ｂの第１ヒューズ移動規制部１４付近を拡大して示す斜視図である。なお、図４等に示す第１ヒューズ移動規制部１４の個数や位置は、あくまでも例示であって限定されるものではない。
【００３７】
図３，４などに示すように、第１ヒューズ移動規制部１４は、本体部１０からＺ軸正方向側へ突出するように設けられる。上記のように構成された第１ヒューズ移動規制部１４は、第１ヒューズ６０がヒューズ接続用端子５０に接続される場合に、例えば第１ヒューズ６０の第１ヒューズ本体部６１の底面と当接することで、第１ヒューズ６０の接続方向（Ｚ軸負方向）への移動を規制するが、これについては図９を参照して後述する。
【００３８】
また、図４に示すように、第１ヒューズ移動規制部１４は、第２ヒューズガイド部１４ａを備える。第２ヒューズガイド部１４ａは、第１ヒューズ移動規制部１４のＺ軸正方向側の端部に形成される。第２ヒューズガイド部１４ａは、第２ヒューズ７０がヒューズ接続用端子５０に接続される場合に第２ヒューズ７０を接続方向（Ｚ軸負方向）に沿ってガイドするが、これについては図１１Ａを参照して後述する。
【００３９】
また、第２ヒューズガイド部１４ａは、第２ヒューズ７０の接続方向に対して傾斜する傾斜面である。これにより、第２ヒューズガイド部１４ａは、簡易な構成でありながら、第２ヒューズ７０をガイドすることができる。
【００４０】
第２ヒューズ移動規制部１５は、図３，４などに示すように、第２ヒューズ収容部１２に形成される。詳しくは、第２ヒューズ移動規制部１５は、第２ヒューズ収容部１２を構成する凹部のＺ軸負方向側の底面（平面）である。
【００４１】
従って、第２ヒューズ移動規制部１５は、第２ヒューズ７０がヒューズ接続用端子５０に接続される場合に第２ヒューズ７０（正確には第２ヒューズ本体部７１の底面）と当接することとなる。そして、第２ヒューズ移動規制部１５は、かかる当接によって第２ヒューズ７０の接続方向への移動を規制するが、これについては図１２を参照して後述する。
【００４２】
共通移動規制部１６は、図２Ａ〜図３に示すように、本体部１０に形成される。詳しくは、共通移動規制部１６は、図３に示すように、本体部１０の上端開口付近にＺ軸正方向へ突出するように複数個（例えば２個）設けられる。また、２個の共通移動規制部１６は、本体部１０のＸ軸方向の左右の側面付近にそれぞれ設けられる。換言すれば、２個の共通移動規制部１６は、第１端子収容部１１ａおよび第２端子収容部１１ｂの上方にそれぞれ設けられる。なお、図２Ａ等に示す共通移動規制部１６の個数や位置は、あくまでも例示であって限定されるものではない。
【００４３】
上記のように構成された共通移動規制部１６は、第１ヒューズ６０および第２ヒューズ７０に対して一対のヒューズ接続用端子５０を結ぶ方向、言い換えると、第１ヒューズ６０および第２ヒューズ７０の接続方向に対して直交する方向（ここではＸ軸方向）への移動を規制する、共通の移動規制部であるが、これについては図１０，１２を参照して後述する。
【００４４】
共通ガイド部１８は、図２Ａに示すように、本体部１０内に形成される。詳しくは、共通ガイド部１８は、本体部１０内であって、第１、第２端子収容部１１ａ，１１ｂの第２ヒューズ収容部１２側に形成される、平面視Ｌ字状の切欠きである。
【００４５】
また、共通ガイド部１８は、図２Ｂに示すように、メス端子であるヒューズ接続用端子５０において第１ヒューズ６０の第１ヒューズ側端子６２ａ，６２ｂ等が挿通される隙間に対してＸ軸方向に並ぶような位置に設けられる。なお、図２Ｂにあっては、ヒューズ接続用端子５０に接続された状態の第１ヒューズ側端子６２ａ，６２ｂまたは第２ヒューズ側端子７２ａ，７２ｂを想像線で示している。
【００４６】
従って、共通ガイド部１８は、例えば第１ヒューズ６０がヒューズ接続用端子５０に挿入されて接続される場合に、第１ヒューズ６０の第１ヒューズ側端子６２ａ，６２ｂと当接して、第１ヒューズ側端子６２ａ，６２ｂを接続方向に沿ってガイドするが、これについては図１０を参照して後述する。なお、共通ガイド部１８は、第２ヒューズ７０についても、第１ヒューズ６０と同様にガイドするが、これについては図１２を参照して後述する。
【００４７】
なお、上記では、共通ガイド部１８を切り欠きとしたが、これに限られず、第１ヒューズ側端子６２ａ，６２ｂや第２ヒューズ側端子７２ａ，７２ｂが挿通可能な溝などその他の形状であってもよい。
【００４８】
ヒューズボックス１の説明を続ける。図５は、図１に示すヒューズボックス１を背面側から見たときの斜視図である。なお、図５にあっては、ヒューズ接続用端子５０などの図示を省略している。
【００４９】
図５および図２Ａなどに示すように、ヒューズボックス１は、ケーブルクランプ２１，２２と、リブ３１，３２とをさらに備える。ケーブルクランプ２１およびリブ３１は、本体部１０に形成される一方、ケーブルクランプ２２およびリブ３２は蓋部４０に形成される。
【００５０】
以下では、ケーブルクランプ２１およびリブ３１について説明するが、ケーブルクランプ２２およびリブ３２はケーブルクランプ２１およびリブ３１と同様の構成であるため、以下の説明はケーブルクランプ２２およびリブ３２にも概ね妥当する。
【００５１】
ケーブルクランプ２１およびリブ３１は、本体部１０においてＹ軸正方向側の側面に形成される。ケーブルクランプ２１は、図２Ａに示すように、可撓部２１ａと、屈曲部２１ｂとを備える。なお、ケーブルクランプ２１の可撓部２１ａおよび屈曲部２１ｂは、蓋部４０に形成されるケーブルクランプ２２の可撓部２２ａおよび屈曲部２２ｂと対応している。
【００５２】
可撓部２１ａは、平板状であり、本体部１０の側面と平行または略平行な向き（例えばＸ軸方向）に延びるように形成される。また、可撓部２１ａは、Ｙ軸方向に弾性変形可能に構成される。
【００５３】
屈曲部２１ｂは、可撓部２１ａから連続して形成されるとともに、本体部１０の側面側に鋭角に屈曲するように形成される。なお、かかる屈曲部２１ｂの先端部分と本体部１０の側面とは、例えば第１、第２ケーブル５１ａ，５１ｂの直径よりも小さい距離離間される。
【００５４】
これにより、ケーブルクランプ２１にあっては、屈曲部２１ｂの先端部分と本体部１０の側面との隙間に第１、第２ケーブル５１ａ，５１ｂが通されると、可撓部２１ａが第１、第２ケーブル５１ａ，５１ｂによってＹ軸正方向へ押し上げられて弾性変形し、その後第１、第２ケーブル５１ａ，５１ｂは、可撓部２１ａと本体部１０の側面との間に入り込むこととなる。これにより、第１、第２ケーブル５１ａ，５１ｂは、ケーブルクランプ２１によって保持される（後述する図１３参照）。
【００５５】
リブ３１は、図２Ａ，５に示すように、ケーブルクランプ２１と対応する位置に設けられる、詳しくは例えば可撓部２１ａと本体部１０の側面との間に位置するように設けられる。そして、リブ３１は、ケーブルクランプ２１の可撓部２１ａへ向けて突出するように形成される。かかるリブ３１によって、ケーブルクランプ２１によって保持された第１、第２ケーブル５１ａ，５１ｂが抜けにくくなるが、これについては図１５，１６を参照して後述する。
【００５６】
ここで、第１ヒューズ６０、第２ヒューズ７０およびヒューズ接続用端子５０について説明しておく。先ず第１ヒューズ６０について図６Ａ，６Ｂを参照して説明する。図６Ａは、第１ヒューズ６０の正面図であり、図６Ｂは、第１ヒューズ６０の底面図である。
【００５７】
図６Ａ，６Ｂに示すように、第１ヒューズ６０の第１ヒューズ側端子６２ａ，６２ｂは、第１ヒューズ本体部６１の底面６１ａにおいてＸ軸方向の左右の端部付近からＺ軸負方向側へ向けて延設される。
【００５８】
また、図示は省略するが、第１ヒューズ６０の第１ヒューズ側端子６２ａ，６２ｂ同士は、第１ヒューズ本体部６１の内部において、定格以上の過電流が流れると溶断する可溶部を介して接続される。従って、第１ヒューズ６０は、第１ヒューズ側端子６２ａ，６２ｂの間に過電流が流れると可溶部が溶けて、第１ヒューズ側端子６２ａ，６２ｂの間に流れる電流を遮断するように構成される。
【００５９】
次に、第２ヒューズ７０について図７Ａ，７Ｂを参照して説明する。図７Ａは、第２ヒューズ７０の正面図であり、図７Ｂは、第２ヒューズ７０の底面図である。
【００６０】
図７Ａ，７Ｂに示すように、第２ヒューズ７０の第２ヒューズ本体部７１において、Ｘ軸方向の側面には、Ｚ軸方向に沿って延びる切欠き７３が形成される。従って、第２ヒューズ本体部７１には、切欠き７３によって段差が形成されることとなる。
【００６１】
また、第２ヒューズ７０の第２ヒューズ側端子７２ａ，７２ｂは、上記したように、第２ヒューズ本体部７１のＸ軸方向の左右の側面に設けられることから、第２ヒューズ本体部７１と高さ方向においてオーバラップする。なお、図７Ａにおいてオーバラップする部分を破線の閉曲線Ｂで囲んで示す。また、第２ヒューズ側端子７２ａ，７２ｂは、先端部分が第２ヒューズ本体部７１の底面からＺ軸負方向側へ向けて突出するように設けられる。
【００６２】
上記したオーバラップなどの構成により、第２ヒューズ７０にあっては、Ｚ軸方向の高さＨ２が第１ヒューズ６０の高さＨ１（図６Ａ参照）よりも小さくなる。なお、第２ヒューズ７０のＸ軸方向の幅Ｗ２は、第１ヒューズ６０の幅Ｗ１と同程度とされる。なお、図６Ａ，７Ａに示す第１、第２ヒューズ６０，７０の高さＨ１，Ｈ２や幅Ｗ１，Ｗ２は、あくまでも例示であって限定されるものではない。
【００６３】
また、図示は省略するが、第２ヒューズ７０も、第１ヒューズ６０と同様に、第２ヒューズ本体部７１の内部に可溶部を備えており、第２ヒューズ側端子７２ａ，７２ｂの間に過電流が流れると可溶部が溶けて、第２ヒューズ側端子７２ａ，７２ｂの間に流れる電流を遮断する。
【００６４】
次に、ヒューズ接続用端子５０について図８を参照して説明する。図８は、図２ＢのVIII−VIII線断面図である。なお、図８においては、図の簡略化のため、ヒューズ接続用端子５０の説明に必要な構成のみ示し、その他の構成は図示を省略した。また、以下では、ヒューズ接続用端子５０のうち第１ヒューズ接続用端子５０ａについて説明するが、以下の説明は、第２ヒューズ接続用端子５０ｂにも概ね妥当する。
【００６５】
図８および図２Ｂに示すように、第１ヒューズ接続用端子５０ａは、平板状の板状端子５０ａ１と、板状端子５０ａ１に向けて付勢されるばね端子５０ａ２とを備える。そして、例えば第１ヒューズ６０がヒューズボックス１に収容される場合、図８に破線で示すように、第１ヒューズ６０の第１ヒューズ側端子６２ａが、板状端子５０ａ１とばね端子５０ａ２との間に挿通される。
【００６６】
これにより、ばね端子５０ａ２は、Ｙ軸負方向側（矢印Ｃ参照）へ弾性変形しつつ、第１ヒューズ側端子６２ａを板状端子５０ａ１との間に挟み込むことで、第１ヒューズ側端子６２ａと第１ヒューズ接続用端子５０ａとが電気的に接続される。なお、第１ヒューズ接続用端子５０ａの板状端子５０ａ１およびばね端子５０ａ２は、第２ヒューズ接続用端子５０ｂの板状端子５０ｂ１およびばね端子５０ｂ２と対応している。
【００６７】
次に、上記のように構成されたヒューズボックス１に対する、第１、第２ヒューズ６０，７０の収容について図９〜１２を参照して詳しく説明する。なお、以下で説明する第１、第２ヒューズ６０，７０の収容は、例えば作業者によって行われるが、これに限定されるものではなく、ロボットなどの作業用機械によって行われてもよい。
【００６８】
先ず第１ヒューズ６０の収容について図９，１０を参照して説明する。図９は、図２ＢのIX−IX線端面図であり、図１０は、図３と同様なヒューズボックス１の断面図であり、図９，１０のいずれも第１ヒューズ６０がヒューズボックス１に収容される様子を示している。
【００６９】
図９に示すように、第１ヒューズ６０がヒューズボックス１に収容される場合、第１ヒューズ６０は先ず、本体部１０の上方に位置される。そして、第１ヒューズ６０は、Ｚ軸負方向へ移動させられる。
【００７０】
このとき、例えば図１０に示すように、第１ヒューズ６０が、所期の位置よりもＸ軸負方向（図１０において左方向）にずれていた場合、第１ヒューズ６０の第１ヒューズ側端子６２ａはヒューズボックス１に形成された共通移動規制部１６に当接される。
【００７１】
詳しくは、共通移動規制部１６には、接続方向たるＺ軸方向に対して傾斜する傾斜面１６ａが形成され、かかる傾斜面１６ａに第１ヒューズ側端子６２ａが当接する。これにより、第１ヒューズ６０は、矢印Ｄで示すように、第１ヒューズ側端子６２ａの当接によって、傾斜面１６ａに倣いつつ所期の位置へと戻されることとなる。
【００７２】
すなわち、共通移動規制部１６は、一対のヒューズ接続用端子５０を結ぶ方向、言い換えると、第１ヒューズ６０の接続方向に対して直交する方向であるＸ軸負方向（図１０において左方向）への移動を規制する。これにより、共通移動規制部１６にあっては、第１ヒューズ６０を所期の位置へと戻すことができる。
【００７３】
その後、第１ヒューズ６０が、さらにＺ軸負方向へ移動させられると、図９，１０等に破線で示すように、ヒューズボックス１に形成された共通ガイド部１８によって第１ヒューズ側端子６２ａ，６２ｂの先端部分がガイドされつつ、第１ヒューズ移動規制部１４に当接される。第１ヒューズ移動規制部１４は、上記したように、第１ヒューズ６０の第１ヒューズ本体部６１の底面と当接することで、第１ヒューズ６０の接続方向への移動を規制する。
【００７４】
これにより、ヒューズボックス１にあっては、例えば第１ヒューズ６０に対し、共通ガイド部１８によって第１ヒューズ側端子６２ａ，６２ｂを接続方向に沿ってガイドすることができる。また、第１ヒューズ移動規制部１４により、例えば第１ヒューズ６０がヒューズボックス１に対して過度に挿入されてしまうことを防止することができる。なお、図示は省略するが、第１ヒューズ６０の第１ヒューズ側端子６２ａ，６２ｂは、図９に破線で示す状態において、ヒューズ接続用端子５０と電気的に接続されているものとする。
【００７５】
次に、第２ヒューズ７０の収容について図１１Ａ〜１２を参照して説明する。図１１Ａ，１１Ｂは、図２ＢのIX−IX線端面図であり、図１２は、図３と同様なヒューズボックス１の断面図であり、図１１Ａ〜１２のいずれも第２ヒューズ７０がヒューズボックス１に収容される様子を示している。
【００７６】
第２ヒューズ７０がヒューズボックス１に収容される場合、第２ヒューズ７０は先ず、本体部１０の上方に位置された後、Ｚ軸負方向へ移動させられる。このとき、例えば図１２に示すように、第２ヒューズ７０が、所期の位置よりもＸ軸負方向（図１２において左方向）にずれていた場合、第２ヒューズ７０の第２ヒューズ側端子７２ａはヒューズボックス１に形成された共通移動規制部１６の傾斜面１６ａに当接される。
【００７７】
これにより、第２ヒューズ７０は、矢印Ｅで示すように、第２ヒューズ側端子７２ａの当接によって、傾斜面１６ａに倣いつつ所期の位置へと戻されることとなる。すなわち、共通移動規制部１６は、一対のヒューズ接続用端子５０を結ぶ方向、言い換えると、第２ヒューズ７０の接続方向に対して直交する方向であるＸ軸負方向（図１２において左方向）への移動を規制する。これにより、共通移動規制部１６にあっては、第２ヒューズ７０を所期の位置へと戻すことができる。
【００７８】
また、上記したように、共通移動規制部１６は、第１ヒューズ６０および第２ヒューズ７０の両方に対して移動を規制することができる。すなわち、本実施形態にあっては、第１ヒューズ６０および第２ヒューズ７０の移動を規制する部位を共通化でき、よってヒューズボックス１の構成を簡素化することができる。
【００７９】
続いて、第２ヒューズ７０が、さらにＺ軸負方向へ移動させられるときに、例えば図１１Ａに示すように、所期の位置よりもＹ軸負方向（図１１Ａにおいて左方向）にずれていた場合がある。かかる場合、第２ヒューズ７０は、例えば第２ヒューズ本体部７１の切欠き７３が、第１ヒューズ移動規制部１４に形成された第２ヒューズガイド部１４ａに当接されることとなる。
【００８０】
これにより、第２ヒューズ７０は、矢印Ｆで示すように、第２ヒューズガイド部１４ａとの当接によって、傾斜面たる第２ヒューズガイド部１４ａに倣いつつ所期の位置へと戻されることとなる。このように、第１ヒューズ移動規制部１４は、第１ヒューズ６０の移動の規制のみならず、第２ヒューズガイド部１４ａを備えることで、第２ヒューズ７０の移動をガイドすることもできる。
【００８１】
その後、第２ヒューズ７０が、さらにＺ軸負方向へ移動させられると、図１１Ｂおよび図１２に破線で示すように、共通ガイド部１８によって第２ヒューズ側端子７２ａ，７２ｂの先端部分がガイドされつつ、ヒューズボックス１に形成された第２ヒューズ移動規制部１５に当接される。第２ヒューズ移動規制部１５は、上記したように、第２ヒューズ７０の第２ヒューズ本体部７１の底面と当接することで、第２ヒューズ７０の接続方向への移動を規制する。
【００８２】
これにより、ヒューズボックス１にあっては、例えば第２ヒューズ７０に対し、共通ガイド部１８によって第２ヒューズ側端子７２ａ，７２ｂを接続方向に沿ってガイドすることができる。また、第２ヒューズ移動規制部１５により、例えば第２ヒューズ７０が、ヒューズボックス１に対して過度に挿入されてしまうことを防止することができる。なお、図示は省略するが、第２ヒューズ７０の第２ヒューズ側端子７２ａ，７２ｂは、図１１Ｂまたは図１２に破線で示す状態において、ヒューズ接続用端子５０と電気的に接続されているものとする。
【００８３】
また、上記したように、第１ヒューズ移動規制部１４と第２ヒューズ移動規制部１５とは、ヒューズボックス１において別々の位置に形成される。これにより、形状の異なる第１、第２ヒューズ６０，７０であっても、確実に過度な挿入を防止することができる。
【００８４】
また、共通ガイド部１８は、上記したように、第１ヒューズ６０の第１ヒューズ側端子６２ａ，６２ｂの先端部分および第２ヒューズ７０の第２ヒューズ側端子７２ａ，７２ｂの先端部分の両方をガイドする（図１０，１２参照）。すなわち、共通ガイド部１８にあっては、第１ヒューズ６０および第２ヒューズ７０の移動をガイドする部位を共通化でき、よってヒューズボックス１の構成を簡素化することができる。
【００８５】
次に、上記したケーブルクランプ２１，２２およびリブ３１，３２について図１３を参照して説明する。図１３は、ヒューズボックス１の斜視図である。なお、図１３は、蓋部４０が本体部１０のＺ軸正方向側の開口を閉止している状態を示している。
【００８６】
図１３に示すように、第２ケーブル５１ｂは、湾曲させられてケーブルクランプ２１，２２に保持される。これにより、第１ケーブル５１ａと第２ケーブル５１ｂとを、Ｚ軸方向に沿った直線状とすることができる。
【００８７】
ヒューズボックス１にあっては、上記のように構成されることで、第１、第２ケーブル５１ａ，５１ｂの２本とも同一方向（例えばＺ軸負方向）から出る場合に比べて、車両等におけるケーブル配線の自由度を向上させることができる。また、第１ケーブル５１ａと第２ケーブル５１ｂとが直線状となることで、例えば車両等にヒューズボックス１が配設されたときに占有するスペースを小型化することも可能となる。
【００８８】
なお、上記では、第２ケーブル５１ｂを湾曲させてケーブルクランプ２１，２２に通すようにしたが、これは例示であって限定されるものではなく、例えば第１ケーブル５１ａを湾曲させてケーブルクランプ２１，２２に通してもよい。
【００８９】
また、ケーブルクランプ２１，２２によって保持されるケーブルは、第１ケーブル５１ａや第２ケーブル５１ｂに限られない。図１４は、変形例に係るヒューズボックス１の側面図である。図１４に示すように、ケーブルクランプ２１，２２に、ヒューズボックス１の付近に配索される別のケーブル１５１を合わせて保持させるようにしてもよい。これにより、複数のケーブルを束ねて配索するような場合において、ヒューズボックス１を安定して保持させることができる。
【００９０】
図１３の説明に戻ると、ヒューズボックス１は、リブ３１，３２を備えることで、第２ケーブル５１ｂがケーブルクランプ２１，２２から抜けてしまうことを抑制することができる。これについて、図１５，１６を参照して説明する。
【００９１】
図１５，１６は、ケーブルクランプ２１付近を拡大した図であり、ケーブルクランプ２１に保持された第２ケーブル５１ｂの動きを説明する図である。なお、図１５は、リブ３１を備えるヒューズボックス１を示し、図１６は、リブ３１を備えていない、従来のヒューズボックス１００を示している。
【００９２】
図１５，１６に示すよう、例えば第２ケーブル５１ｂがケーブルクランプ２１に保持された状態で、第２ケーブル５１ｂがケーブルクランプ２１から抜ける向きの力Ｇが何らかの事象によって生じたとする。
【００９３】
図１６に示すように、リブ３１が無いヒューズボックス１００の場合、上記した力Ｇが第２ケーブル５１ｂに作用すると、第２ケーブル５１ｂは、ケーブルクランプ２１の隙間に向けて移動するため、ケーブルクランプ２１，２２からそのまま抜けてしまうおそれがある。
【００９４】
これに対し、本実施形態においては、図１５に示すように、ヒューズボックス１にリブ３１が形成されているため、第２ケーブル５１ｂは、リブ３１を乗り越えて、破線で示すように、ケーブルクランプ２１の屈曲部２１ｂに入り込む方向へ移動することとなる。これにより、リブ３１，３２を備えるヒューズボックス１にあっては、第２ケーブル５１ｂがケーブルクランプ２１，２２から抜けてしまうことを抑制することができる。
【００９５】
上述してきたように、実施形態に係るヒューズボックス１は、本体部１０と、一対の端子収容部１１と、第２ヒューズ収容部１２とを備える。本体部１０は、中空状に形成される。一対の端子収容部１１は、本体部１０内に形成されるとともに、第１ヒューズ６０と接続可能な一対のヒューズ接続用端子（端子の一例）５０をそれぞれ収容する。第２ヒューズ収容部１２は、一対の端子収容部１１の間に形成されるとともに、第１ヒューズ６０とは異なる種類の第２ヒューズ７０を一対のヒューズ接続用端子５０に接続された姿勢で収容する。
【００９６】
これにより、種類の異なる第１ヒューズ６０および第２ヒューズ７０のいずれをも簡易な構成で収容することができる。
【００９７】
なお、上述した実施形態では、ヒューズボックス１は、第１、第２ヒューズ６０，７０の２種類のヒューズを収容するようにしたが、これは例示であって限定されるものではなく、例えば３種類以上のヒューズを収容するようにしてもよい。
【００９８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９９】
１  ヒューズボックス
１０  本体部
１１  端子収容部
１２  第２ヒューズ収容部
１４  第１ヒューズ移動規制部
１５  第２ヒューズ移動規制部
１６  共通移動規制部
１８  共通ガイド部
６０  第１ヒューズ
７０  第２ヒューズ
【図１】
2018063928.tif 000003
【図２Ａ】
2018063928.tif 000004
【図２Ｂ】
2018063928.tif 000005
【図３】
2018063928.tif 000006
【図４】
2018063928.tif 000007
【図５】
2018063928.tif 000008
【図６Ａ】
2018063928.tif 000009
【図６Ｂ】
2018063928.tif 000010
【図７Ａ】
2018063928.tif 000011
【図７Ｂ】
2018063928.tif 000012
【図８】
2018063928.tif 000013
【図９】
2018063928.tif 000014
【図１０】
2018063928.tif 000015
【図１１Ａ】
2018063928.tif 000016
【図１１Ｂ】
2018063928.tif 000017
【図１２】
2018063928.tif 000018
【図１３】
2018063928.tif 000019
【図１４】
2018063928.tif 000020
【図１５】
2018063928.tif 000021
【図１６】
2018063928.tif 000022